(57)【特許請求の範囲】
【請求項１】
柱と、梁と、柱と梁を連結する連結材と、カバー材とを備え、連結材は、柱の梁側の側面に外側から固定される柱固定部と、梁が上下方向に角度調整自在に固定される梁固定部を有し、カバー材は、柱の小口を塞ぐ小口塞ぎ部と、柱と梁との連結部の下方及び側方を覆う覆い部を有することを特徴とする簡易建物。
【請求項２】
カバー材に柱内部に挿入される裏板材が設けてあり、連結材を柱側面に固定するネジで裏板材を柱に共締めしてあることを特徴とする請求項１記載の簡易建物。
【請求項３】
横架材と、梁と、横架材と梁を連結する連結材と、カバー材とを備え、連結材は、横架材の梁側の側面に外側から固定される横架材固定部と、梁が上下方向に角度調整自在に固定される梁固定部を有し、カバー材は、横架材と梁との連結部の下方及び側方を覆う覆い部を有することを特徴とする簡易建物。
【請求項４】
カバー材は、横架材の梁側の側面に当接する側面当接部を有し、カバー材の側面当接部と連結材の横架材固定部とを横架材にネジで共締めしてあることを特徴とする請求項３記載の簡易建物。
【請求項５】
梁の上面に屋根固定金具が設けてあり、カバー材は、屋根固定金具を避けるための切り欠き部を有することを特徴とする請求項１，２，３又は４記載の簡易建物。
【発明の詳細な説明】
【技術分野】
【０００１】
本発明は、組立式の簡易建物に関する。
【背景技術】
【０００２】
従来、カーポート等の簡易建物においては、屋根を支える梁を柱と連結するにあたり、略Ｌ形の連結具を柱の上端部と梁の一端部とに挿入しネジで固定することで、柱と梁を連結している。柱の上端部は、梁の取付角度に合わせて斜めに切断され、柱の梁側の側面には梁の端部を呑み込ませるために切り欠きを設けている（例えば、特許文献１参照）。
このような簡易建物では、屋根を壁にくっつけて設置するのに、屋根の壁側の高さを壁に設けられた窓の高さに合わせて変更したい場合等に、梁の角度を調整したい場合がある。従来の簡易建物では、梁の角度を変更するには連結具を新たに作り直さなければならず、設置する場所の状況に応じて梁の角度を任意に調整することはできなかった。
【先行技術文献】
【特許文献】
【０００３】
【特許文献１】特開２００５−２４０３７２号公報
【発明の概要】
【発明が解決しようとする課題】
【０００４】
本発明は以上に述べた実情に鑑み、梁の角度調整が可能で、梁の連結部の意匠性や施工性も良好な簡易建物の提供を目的とする。
【課題を解決するための手段】
【０００５】
上記の課題を達成するために請求項１記載の発明による簡易建物は、柱と、梁と、柱と梁を連結する連結材と、カバー材とを備え、連結材は、柱の梁側の側面に外側から固定される柱固定部と、梁が上下方向に角度調整自在に固定される梁固定部を有し、カバー材は、柱の小口を塞ぐ小口塞ぎ部と、柱と梁との連結部の下方及び側方を覆う覆い部を有することを特徴とする。
【０００６】
請求項２記載の発明による簡易建物は、請求項１記載の発明の構成に加え、カバー材に柱内部に挿入される裏板材が設けてあり、連結材を柱側面に固定するネジで裏板材を柱に共締めしてあることを特徴とする。
【０００７】
請求項３記載の発明による簡易建物は、横架材と、梁と、横架材と梁を連結する連結材と、カバー材とを備え、連結材は、横架材の梁側の側面に外側から固定される横架材固定部と、梁が上下方向に角度調整自在に固定される梁固定部を有し、カバー材は、横架材と梁との連結部の下方及び側方を覆う覆い部を有することを特徴とする。
【０００８】
請求項４記載の発明による簡易建物は、請求項３記載の発明の構成に加え、カバー材は、横架材の梁側の側面に当接する側面当接部を有し、カバー材の側面当接部と連結材の横架材固定部とを横架材にネジで共締めしてあることを特徴とする。
【０００９】
請求項５記載の発明による簡易建物は、請求項１，２，３又は４記載の発明の構成に加え、梁の上面に屋根固定金具が設けてあり、カバー材は、屋根固定金具を避けるための切り欠き部を有することを特徴とする。
【発明の効果】
【００１０】
請求項１記載の発明による簡易建物は、連結材の梁固定部に梁を上下方向に角度調整自在に固定したので、梁の角度調整が容易に行え、設置する場所の状況に応じて梁の角度を調整でき、既設の柱に梁及び屋根を取付ける場合でも都合が良い。また、連結材の柱固定部を柱の梁側の側面に外側から固定したので、柱に梁の端部を呑み込む切り欠きを設ける必要がなく、施工性が良い。さらに、梁の角度調整を行っても、柱と梁との連結部の下方及び側方がカバー材の覆い部により隠れ、柱の小口はカバー材の小口塞ぎ部によって塞がれるため、意匠性が良い。
【００１１】
請求項２記載の発明による簡易建物は、カバー材に柱内部に挿入される裏板材を設け、連結材を柱側面に固定するネジで裏板材を柱に共締めしたので、カバー材を柱上に配置するだけで柱内に裏板材を容易にセッティングでき、連結材を柱にネジで固定するとカバー材も連結材と一緒に柱に固定されるので、施工性が良い。カバー材を固定するためだけのネジが不要になり、ネジの本数を少なくできる。
【００１２】
請求項３記載の発明による簡易建物は、連結材の梁固定部に梁を上下方向に角度調整自在に固定したので、梁の角度調整が容易に行え、設置する場所の状況に応じて梁の角度を調整でき、都合が良い。また、連結材の横架材固定部を横架材の梁側の側面に外側から固定したので、横架材に梁の端部を呑み込む切り欠きを設ける必要がなく、施工性が良い。さらに、梁の角度調整を行っても、横架材と梁との連結部の下方及び側方がカバー材の覆い部により隠れるため、意匠性が良い。
【００１３】
請求項４記載の発明による簡易建物は、カバー材に横架材の梁側の側面に当接する側面当接部を有し、カバー材の側面当接部と連結材の横架材固定部とを横架材にネジで共締めしたことで、連結材を横架材にネジで固定するとカバー材も連結材と一緒に横架材に固定されるので、施工性が良い。カバー材を固定するためだけのネジが不要になり、ネジの本数を少なくできる。
【００１４】
請求項５記載の発明による簡易建物は、梁の上面に屋根固定金具が設けてあり、カバー材は、屋根固定金具を避けるための切り欠き部を有しているので、梁の角度調整や屋根の取付けにカバー材が邪魔にならない。
【図面の簡単な説明】
【００１５】
【図１】柱と梁との連結部（図１４のＡ部）の縦断面図である。
【図２】柱と梁との連結部の横断面図である。
【図３】柱上端部へのカバー材及び連結材の取付け方を示す分解斜視図である。
【図４】柱上端部に取付けた連結材に梁を連結するときの状態を示す分解斜視図である。
【図５】梁の壁側の端部を示す縦断面図である。
【図６】柱と梁との連結部の縦断面図であって、梁を最大限傾けた状態を示す。
【図７】梁を最大限傾けたときの壁側の縦断面図である。
【図８】桁と補助梁との連結部（図１４のＢ部）の縦断面図である。
【図９】桁と補助梁との連結部の横断面図である。
【図１０】桁へのカバー材及び連結材の取付け方を示す分解斜視図である。
【図１１】桁に取付けた連結材に補助梁を連結するときの状態を示す分解斜視図である。
【図１２】桁と補助梁との連結部の縦断面図であって、補助梁を最大限傾けた状態を示す。
【図１３】（ａ）は本発明の簡易建物の第１実施形態を示す正面図、（ｂ）は同簡易建物の側面図である。
【図１４】同簡易建物の平面図である。
【図１５】図１４のＣ−Ｃ断面図である。
【図１６】（ａ）は第１実施形態の簡易建物の屋根を施工する前の状態を示す正面図、（ｂ）は同側面図である。
【図１７】本発明の簡易建物の第２実施形態を示す側面図である。
【図１８】同簡易建物の柱と梁との連結部を示す縦断面図である。
【図１９】本発明の簡易建物の第３実施形態を示す側面図である。
【図２０】同簡易建物の柱と梁との連結部を示す縦断面図である。
【発明を実施するための形態】
【００１６】
以下、本発明の実施の形態を図面に基づいて説明する。図１３〜１５は、本発明の簡易建物の第１実施形態を示している。本簡易建物は、建物の外壁２２にくっつけて設置される壁付けタイプの簡易建物であり、図１３に示すように、外壁２２から離れた位置に左右方向に間隔をおいて３本の柱１が立設してあり、各柱１の上端部と外壁２２に取付けた梁掛け２３間に３本の梁２が前後方向に架設してあり、梁２に支持して屋根２４が設置してある。柱１の上端部間には桁１１が設けてあり、図１４に示すように、左側の梁２と中央の梁２との中間に日除け支持用の補助梁１２が設けてあり、梁２及び補助梁１２間に日除けカーテン２５が取付けてある。桁１１の下の柱１間には、図１３（ａ）に示すように、パネル２６が取付けてある。本簡易建物は、図１６に示すように、柱１間にパネル２６を取付けた既設のフェンス２７に、後から屋根２４を追加で設置できるようにしたものであり、外壁２２に設けられたテラス窓（図示省略）の上部の高さに合わせて屋根２４の傾きを調整できるように、梁２及び補助梁１２の傾きを５°から２０°の範囲で調整できるようになっている。なお図示の例は、梁２及び補助梁１２の傾きが最も小さい５°の場合を示している。
【００１７】
柱１の上端部には、図１，３，４に示すように、カバー材４と連結材３が取付けてある。柱１は、略正方形断面の筒状となっており、上端が水平にカットされている。
カバー材４は、柱１の小口を塞ぐ小口塞ぎ部７と、小口塞ぎ部７より柱１の梁２側の側面に沿うように垂下する覆い部８とを有している。小口塞ぎ部７は、上面が前方に向かって低くなるように傾斜しており、小口塞ぎ部７の下面にはアングル状の裏板材９がネジ２８で取付けてあり、裏板材９は柱１の梁２側の側壁１ａの内面に当接している。裏板材９には、連結材取付用のネジ１０が螺入する雌ネジ孔２９が設けてある。覆い部８は、左右の側壁３０と底壁３１とで略コ字形に形成され、側壁３０間には連結材３が挿入可能な四角い孔３２が設けられ、覆い部８の上部は切り欠き部２１を設けて開放した形になっている。
連結材３は、図３に示すように、柱１の梁２側の側面に固定される柱固定部５と、柱固定部５の両側縁より梁２側に延出する梁固定部６とを有する平面視コ字型に形成され、柱固定部５にはネジ挿通孔３３ａが裏板材９の雌ネジ孔２９と同じピッチで設けてあり、柱１の梁２側の側壁１ａにも同じようにネジ挿通孔３３ｂを形成してある。梁固定部６には、梁取付用のネジ３４が螺入する雌ネジ孔３５が設けてある。連結材３は、柱固定部５を柱１上端部の梁２側の側面に当接し、ネジ挿通孔３３ａ，３３ｂに挿通したネジ１０を裏板材９の雌ネジ孔２９に螺入して、柱１の梁２側の側面に固定している。
【００１８】
梁２は、四角形断面の筒状となっており、図１に示すように、端部が長手方向に対して直角にカットしてある。梁２の柱１側の端部は、図１，２，４に示すように、連結材３の梁固定部６を梁２の端部内に挿入し、梁２の側壁に両側から挿入したネジ３４を梁固定部６の雌ネジ孔３５に螺入して固定してあり、ネジ３４を支点として梁２の角度を調節できるようになっている。図中の符号３６は、梁２の角度を決定した後、梁２の角度を固定するために梁２の側壁を貫通して梁固定部６に螺入される止めネジである。図１，２に示すように、連結した梁２の端部はカバー材４の覆い部８内に呑み込まれ、柱１と梁２の連結部の下方及び側方が覆い部８によって覆われている。また、梁２の端部上面は柱１の上端よりも高い位置にあるが、カバー材４の小口塞ぎ部７がそれよりも高い位置まで盛り上がっているため、正面から見ても梁２の小口が見えないようになっている。梁２の上面には屋根固定金具２０がネジ３７で取付けてあり、カバー材４の覆い部８の上面側に切り欠き部２１を設けてあるため、屋根固定金具２０の取付けに覆い部８が邪魔にならず、屋根固定金具２０を柱１に近付けて設置できる。図６は、梁２を最も傾けて設置した場合を示しており、この場合も柱１と梁２との連結部がカバー材４の覆い部８と小口塞ぎ部７に隠れて見えない。
【００１９】
柱１と梁２を連結する際の手順を説明すると、既設のフェンス２７の柱１に梁２を連結する場合、図３に示すように、柱１の上端部にもともと取付けてあるキャップ６０を外し、柱１にネジ挿通孔３３ｂを開ける。その後、カバー材４の小口塞ぎ部７の下面に裏板材９をネジ２８で取付け、カバー材４の小口塞ぎ部７を柱１上端に載置する。すると、裏板材９が小口塞ぎ部７からぶら下がる状態で柱１内の所定の位置にセッティングされる。その後、連結材３の柱固定部５をカバー材４の孔３２に挿入して柱１の側面に当接し、ネジ１０を裏板材９の雌ネジ孔２９に螺入し、連結材３を柱１に固定する。連結材３の柱固定部５とカバー材４の裏板材９とを柱１にネジ１０で共締めしているため、連結材３を柱１に固定するとカバー材４も一緒に柱１に固定される。その後、図４に示すように、梁２の端部に連結材３の梁固定部６を挿入し、両側からネジ３４で固定する。このように、本連結構造によれば、柱１及び梁２の端部をまっすぐカットすればよく、柱１に切り欠きを設ける必要もなく、さらには裏板材９のセッティングが容易で、梁２の角度調整も容易に行えるため、既設の柱１に梁２を連結する場合でも施工性が良い。
【００２０】
梁掛け２３は、図５に示すように、外壁２２にアンカーボルト３８で固定したベース材３９に、ボルト・ナット４０により角度調整可能に取付けてあり、梁掛け２３に梁２の壁側の端部を引っ掛けて下方からネジ４１で固定してあり、図７に示すように、梁２の傾きをより大きくした場合にも対応できるようになっている。
【００２１】
図８〜１１は、桁１１と補助梁１２との連結部を示している。桁１１には、カバー材１４と連結材１３が取付けてある。カバー材１４は、柱１の上端部に取付けられるカバー材４とよく似た形状となっており、桁１１の上面に載置される載置部４２と、載置部４２より桁１１の梁側側面に沿うように垂下する覆い部１７とを有している。載置部４２は、上面が前方に向かって低くなるように傾斜している。覆い部１７は、左右の側壁４３と、底壁５９と、桁１１の梁側の側面に当接する側面当接部１８とを有し、上面側は切り欠き部２１を設けて開放させてある。なお図示の例では、補助梁１２の上面に屋根固定金具２０を設けていないが、図１と同様に切り欠き部２１内の補助梁１２上面に屋根固定金具２０を設けることができる。側面当接部１８には、連結材取付用のネジ１９が挿通されるネジ挿通孔４４ａが設けてあり、桁１１の梁側側面には同ネジ１９が螺入する雌ネジ孔４７が設けてある。
連結材１３は、桁１１の梁側の側面に固定される桁固定部１５と、桁固定部１５の両側縁より補助梁１２側に延出する梁固定部１６とを有する平面視コ字型に形成され、桁固定部１５にはネジ挿通孔４４ｂがカバー材１４の側面当接部１８と同じピッチで設けてある。梁固定部１６には、梁取付用のネジ４５が螺入する雌ネジ孔４６が設けてある。
【００２２】
補助梁１２は、梁２と同一の断面形状となっており、梁２と同様に端部を長手方向に対して直角に切断され、補助梁１２の端部内に連結材１３の梁固定部１６を挿入し、両側から挿入したネジ４５を梁固定部１６の雌ネジ孔４６に螺入することにより、上下方向に角度調整可能に固定されている。図８，９に示すように、連結した補助梁１２の端部はカバー材１４の覆い部１７内に呑み込まれ、桁１１と補助梁１２の連結部の下方及び側方が覆い部１７によって覆われている。また、補助梁１２の端部上面は桁１１の上面よりも高い位置にあるが、カバー材１４の載置部４２がそれよりも高い位置まで盛り上がっているため、正面から見て補助梁１２の小口が見えないようになっている。図１２は、補助梁１２を最も傾けて設置した場合を示しており、この場合も桁１１と補助梁１２との連結部がカバー材１４の覆い部１７と載置部４２に隠れて見えない。なお、補助梁１２の壁側の端部は、梁２と同様に梁掛け２３に固定してある。
【００２３】
桁１１と補助梁１２を連結する際の手順を説明すると、図１０に示すように、桁１１の側面に雌ネジ孔４７を開けた上で、載置部４２を桁１１の上面に載せ且つ側面当接部１８を桁１１の側面に当接するようにカバー材１４を配置する。その後、連結材１３の桁固定部１５をカバー材１４の側面当接部１８に当接し、ネジ１９で固定する。連結材１３の桁固定部１５とカバー材１４の側面当接部１８とを桁１１にネジ１９で共締めしているため、連結材１３を桁１１に固定するとカバー材１４も一緒に桁１１に固定される。その後、図１１に示すように、補助梁１２の端部に連結材１３の梁固定部１６を挿入し、両側からネジ４５で固定する。このように、本連結構造によれば、補助梁１２の端部をまっすぐカットすればよく、桁１１に切り欠きを設ける必要もなく、連結材１３とカバー材１４を同一のネジ１９で一緒に固定でき、補助梁１２の角度調整も容易に行えるため、施工性が良い。
【００２４】
図１５に示すように、梁２及び補助梁１２の対向する側面にはカーテンレール４８が長手方向に沿って取付けてあり、カーテンレール４８に係合して日除けカーテン２５が前後方向にスライド可能に取付けてある。
屋根２４は、図１４，１５に示すように、梁２上に前後方向に間隔をおいて野縁４９を架設し、周囲に左右の側枠５０と前枠５１と樋５２を取付け、前枠５１と樋５２間にパネル受け５３を左右方向に間隔をおいて取付け、側枠５０及びパネル受け５３間に屋根パネル５４を配置し、パネル押さえ５５で屋根パネル５４の縁部を押えてある。図１３に示すように、左側の柱１には竪樋５６が取付けられ、竪樋５６は屋根２４の樋５２とエルボ５７で連結してある。
【００２５】
以上に述べたように本簡易建物は、柱１及び桁１１の側面に連結材３，１３を取付け、連結材３，１３の梁固定部６，１６を梁２及び補助梁１２の端部に挿入し、両側からネジ３４，４５で固定するようにしたので、梁２及び補助梁１２の角度調整が容易に行え、柱１と梁２と補助梁１２は端部をまっすぐ切断すればよく、柱１に梁２を呑み込ませるための切り欠きを設けたりする必要もないので、既設の柱１及び桁１１に梁２と補助梁１２を連結する場合でも施工性が良い。またカバー材４，１４の覆い部８，１７により、柱１と梁２の連結部、桁１１と補助梁１２の連結部の下方及び側方が覆われているため、意匠性も良好である。さらにカバー材４，１４を、連結材取付用のネジ１０，１９で柱１及び桁１１に連結材３，１３と一緒に固定するようにしたので、カバー材を後から取付ける手間が要らず、カバー材を固定するための専用のネジも不要なため、施工性が一層向上している。カバー材４，１４は、覆い部８，１７の上面側に屋根固定金具２０を逃がす切り欠き部２１を設けたので、カバー材４，１４が屋根２４の施工の邪魔にならない。
【００２６】
図１７，１８は、本発明の簡易建物の第２実施形態を示している。本簡易建物は、独立タイプの簡易建物であって、屋根２４を支持する梁２が柱１に片持ち支持されたものである。柱１と梁２との連結には、図１８に示すように、第１実施形態と同様のカバー材４と連結材３を用いている。梁２の下面と柱１の側面間には補強材５８を取付けて補強してある。
【００２７】
図１９，２０は、本発明の簡易建物の第３実施形態を示している。本簡易建物は、独立タイプの簡易建物であって、屋根２４を支持する梁２の両側が柱１に支持されたものである。柱１と梁２との連結には、図２０に示すように、第１実施形態と同様のカバー材４と連結材３を用いている。
【００２８】
本発明は、以上に述べた実施形態に限定されない。カバー材４，１４及び連結材３，１３の具体的な形状は、適宜変更することができる。補助梁１２は、日除けカーテン２５を設置しない場合には省略することができる。屋根２４の構造は任意である。本発明は、テラス、カーポート、サイクルポート、通路用シェルターなど、あらゆる簡易建物に適用することができる。
【符号の説明】
【００２９】
１  柱
２  梁
３  連結材
４  カバー材
５  柱固定部
６  梁固定部
７  小口塞ぎ部
８  覆い部
９  裏板材
１０  ネジ
１１  桁（横架材）
１２  補助梁（梁）
１３  連結材
１４  カバー材
１５  桁固定部（横架材固定部）
１６  梁固定部
１７  覆い部
１８  側面当接部
１９  ネジ
２０  屋根固定金具
【図１】
0005627505.tif 000002
【図２】
0005627505.tif 000003
【図３】
0005627505.tif 000004
【図４】
0005627505.tif 000005
【図５】
0005627505.tif 000006
【図６】
0005627505.tif 000007
【図７】
0005627505.tif 000008
【図８】
0005627505.tif 000009
【図９】
0005627505.tif 000010
【図１０】
0005627505.tif 000011
【図１１】
0005627505.tif 000012
【図１２】
0005627505.tif 000013
【図１３】
0005627505.tif 000014
【図１４】
0005627505.tif 000015
【図１５】
0005627505.tif 000016
【図１６】
0005627505.tif 000017
【図１７】
0005627505.tif 000018
【図１８】
0005627505.tif 000019
【図１９】
0005627505.tif 000020
【図２０】
0005627505.tif 000021